(57)【特許請求の範囲】
【請求項１】
車室内の空気を吸入して前記車室内に吹き出す、ファンと前記ファンを駆動するモータとを有している送風機を備えた平坦なスクロール部と、
前記スクロール部の両側の各々に配置した二つの吹出し部と、
前記モータを包囲しているモータ保護ケースとを備え、
前記吹出し部は、内側の内装板と外側の屋根板とを備えた湾曲形状の車両天井と略平行となるように前記スクロール部に対して傾斜しており、
前記モータは、当該モータから突出しているモータシャフトを有し、前記モータ保護ケース中に穴が設けられており、前記モータシャフトが前記穴内に位置するように配置されていることを特徴とする車両用空気清浄器。
【請求項２】
前記穴を塞ぐシールを有する請求項１に記載の車両用空気清浄器。
【発明の詳細な説明】
【０００１】
【発明の属する技術分野】
本発明は空気清浄器に関する。とりわけ、本発明は車両用空気清浄器に関する。
【０００２】
【従来の技術】
従来、天吊式車両用空気清浄器として、吸込口及び吹出口をそれぞれ一つずつ有する空気清浄器が公知である。この空気清浄器は、正面の吸込口の直下流に除塵フィルタが配置され、側面の吹出口の直上流に脱臭フィルタが配置された構成となっている。しかしながら、この空気清浄器は、送風機と除塵フィルタを高さ方向に直列に配置する必要と、空気流れの圧損量を低減するために側面の脱臭フィルタの大きな面積を確保する必要から、空気清浄器の側面を大きくせざるをえず、空気清浄器の高さ寸法が大きくなってしまう。
【０００３】
このように天吊式車両用空気清浄器の高さ寸法が大きいと車室の空間が狭くなって乗員にとっては不快であるので空気清浄器を薄くすることが望まれていた。そこで、圧損量を低減する共に薄い空気清浄器を構成するために、例えば特開２００１−１０５８４８号公報では、一つの吸込口を正面に有する中央のスクロール部と、スクロール部の両側に配置された一つの吹出口を有する吹出し部とを備えた構成となっている。このようにフィルタ部とモータを高さ方向に並列に配置した構成により、空気清浄器の高さ寸法を低減すると共に、より大きなフィルタ面積を確保することにより、圧損量を低減している。
【０００４】
【発明が解決しようとする課題】
ところが、このように薄い平坦な車両空気清浄器を用いても湾曲した車両天井部に取り付けた場合には、空気清浄器が車室内で突出してしまうという問題がある。それゆえ、湾曲した車両天井部に配置される薄い車両空気清浄器が望まれている。
【０００５】
本発明は、上記問題に鑑みてなされたものであり、その目的は、さらに薄い車両用空気清浄器を提供することである。
【０００６】
【課題を解決するための手段】
本発明は、前記課題を解決するための手段として、特許請求の範囲の請求項に記載の車両用空気清浄器を提供する。請求項１に記載の車両用空気清浄器は、車室内の空気を吸入して前記車室内に吹き出す、ファンと前記ファンを駆動するモータとを有している送風機を備えた平坦なスクロール部と、前記スクロール部の両側の各々に配置した二つの吹出し部と、前記モータを包囲しているモータ保護ケースとを備え、前記吹出し部は、内側の内装板と外側の屋根板とを備えた湾曲形状の車両天井と略平行となるように前記スクロール部に対して傾斜しており、前記モータは、当該モータから突出しているモータシャフトを有し、前記モータ保護ケース中に穴が設けられており、前記モータシャフトが前記穴内に位置するように配置されているようにしたものであり、これにより、車両用空気清浄機は、概ね車両天井部に沿った構成となり、車室へ突出する量が低減される。
【０００７】
【発明の実施の形態】
以下、本発明の実施例について添付図面を参照して説明する。最初に本発明の車両用空気清浄器の概略構成について説明する。図１は車両の天井に取り付けた状態の本発明の車両用空気清浄器の断面図である。１は本発明の車両用空気清浄器を全体的に示している。空気清浄器１は、上側の本体２と下側のカバー（グリル）３で主に構成され、本体２とカバー３を組み付けた状態で内部において以下に説明する構成要素を保持する。なお、本体２及びカバー３は共にＡＢＳ等の樹脂でつくられている。
【０００８】
車両用空気清浄器１の組み付けは、最初に、内側の内装板（天井）８に設けられた開口８１を通して、内装板（天井）８と外側の屋根板９との間の空間部９１において車両横断方向に延びているリインフォースメント（図示せず）にブラケット（図示せず）を介して本体２を空間部９１内に固定し、次に、カバー３の周縁部が内装板８に当接するように、カバー３をこの本体２にネジ等で締結することによって完了する。
【０００９】
次に本発明の車両用空気清浄器の内部構成について説明する。図１に示すように、車両用空気清浄器１は、中央において吸込口１１から空気を吸い込む中央のスクロール部２１と、スクロール部２１の両側において一つの吹出口１２から空気を吹き出す二つの吹出し部２２とで構成されている。また、空気通路１３は、スクロール部２１の外面に設けられた吸込口１１から送風機５まで延びている上流空気通路１３ａと、送風機５から各吹出し部２２の外面に設けられた吹出口１２まで延びている二つの下流空気通路１３ｂとで構成されている。
【００１０】
スクロール部２１の中央には、空気を吸込口１１から吸い込んで下流空気通路１３ｂに送風する送風機５が配置されている。この送風機５は、ファン５２と、ファン５２を駆動するブラシレスモータ５１とを備えている。このファン５２は、回転軸方向、すなわち、上流空気通路１３ａから空気を吸入して径外方向に向けて吹き出す遠心式のファンである。
【００１１】
また、下流空気通路１３ｂには、上流から、ひだ折りした不織布により空気中の塵を捕捉する除塵フィルタ６と、ハニカム担体に添着された活性炭により空気中の臭いを除去する脱臭フィルタ７が配置されている。これらフィルタ６及び７は、着脱自在にカバー３に取り付けられているフィルタカバー４を取り外して下流空気通路１３ｂを開放することによって交換することができる。
【００１２】
以上の構成により、吸込口１１から上流空気通路１３ａを通して空気が吸い込まれ、送風機５付近で二つの下流空気通路１３ｂのいずれかに分配され、下流空気通路１３ｂ中の除塵フィルタ６と脱臭フィルタ７を通して吹出口１２から空気が吹き出される。
【００１３】
本発明では、以上の構成の空気清浄器を用いることにより、従来の空気清浄器よりも薄くなっている。しかしながら、この平坦な空気清浄器を湾曲した車両の天井に取り付けた場合には、図１に示すように、空気清浄器１の上面と天井の屋根板９の距離Ａが屋根板９と内装板８の距離よりも大きくなり、それに伴い、空気清浄器１の下面と天井の屋根板９の距離Ｂも大きくなり、車室内に突出してしまう。上記問題を鑑みて、本発明は、以下に説明するように、さらに薄い空気清浄機を提供する。
【００１４】
次に本発明の改良した車両用空気清浄器の実施例について説明する。図２は車両の天井に取り付けた状態の本発明の改良した車両用空気清浄器の断面図である。空気清浄器の各構成要素とその参照番号は前述と同じであり、空気清浄器１が天井の内装板の湾曲形状に対応するように、吹出し部２２がスクロール部２１に対して傾斜しているという点のみが異なっている。
【００１５】
このような構成により、図２に示すように、空気清浄器１の上面と天井の屋根板９の距離Ａ´、空気清浄器１の下面と天井の屋根板９の距離Ｂ´は、前述の実施例の距離Ａ、Ｂと比べて小さくなり、車室内への突出量を低減することができる。
【００１６】
次に本発明の改良した車両空気清浄器のさらなる実施例について説明する。図３は本発明の空気清浄器の送風機を駆動するモータの収納部の拡大断面図である。図３（Ａ）はモータの保護ケースを示す図である。図３（Ａ）に示すように、送風機５のモータ５１は、本体２の一部を形成する板５６とモータのフランジ５５とを例えばねじ５７などの締結手段によって締結されている。モータ５１から突出しているモータシャフト５３は、モータフランジ５５を貫通している。塵などの存在する車両天井の空間部からこのモータシャフト５３を保護するために、モータシャフト５３を包囲したカップ状部分を有する樹脂ケース５４が必要となる。
【００１７】
次にモータの保護ケースの別の実施例について説明する。例えば、上記構成の樹脂ケース５４が屋根板９に近づきすぎて接触しないように、樹脂ケース５４がモータシャフト５３を包囲したカップ状部分の突出量を低減することが望まれている。そのため、本実施例のモータ保護ケースは、図３（Ｂ）に示すように、比較的に厚い樹脂ケース５４に穴５８設け、この穴５８にモータシャフト５３を収納し、シール５９を樹脂ケース５４の穴５８の開口部を塞いだ構成を採用している。この構成により、図３（Ａ）に示されている樹脂ケース５４の突出量Ｃから図３（Ｂ）に示されている突出量Ｃ´に低減することができる。
【図面の簡単な説明】
【図１】車両の天井に取り付けた状態の本発明の車両用空気清浄器の断面図である。
【図２】車両の天井に取り付けた状態の本発明の改良した車両用空気清浄器の断面図である。
【図３】本発明の空気清浄器の送風機を駆動するモータの収納部の拡大断面図である。
【符号の説明】
１…車両用空気清浄器
５…送風機
８…内装板
９…屋根板
２１…スクロール部
２２…吹出し部
【図１】
0003780911.tif 000002
【図２】
0003780911.tif 000003
【図３】
0003780911.tif 000004